(57)【特許請求の範囲】
【請求項１】
下端を開口されると共に上端を閉じられた筒体からなり、下端から所定高さの位置の筒壁に凹部又は開口が形成された上ケースと、
上端を開口されると共に下端を閉じられた筒体からなり、上端側を前記上ケースの内面形状とほぼ一致する外面形状の嵌合部とすると共に、該嵌合部より下方を前記上ケースの内面形状より大きい外面形状の拡径部とし、前記嵌合部から前記拡径部にかけて軸方向に伸びる２条の切り込みと該２条の切り込みを連絡する横方向の切り込みとによって上端を中心に内部へ撓み得る弾性片を形成し、該弾性片の外面に前記上ケースを前記嵌合部に嵌合させたときに前記凹部又は開口に嵌合する突起を形成した下ケースとを備え、
前記弾性片を内側へ撓ませることによって前記上ケースを前記下ケースに対して抜き差し可能に構成した収納ケースにおいて、
前記凹部又は開口の下端縁を水平面とし、
前記突起を、上端を前記嵌合部の外面と一致させると共に、上方から下方に向かって突出量が増大するテーパー状部と、下端に形成される水平面部とを備える形状としたことを特徴とする収納ケース。
【請求項２】
請求項１記載の収納ケースにおいて、
前記下ケースの前記拡径部に対して、前記弾性片の下端部を指で押す際に邪魔にならない様に、該弾性片の下端部近傍に窪みを形成したことを特徴とする収納ケース。
【請求項３】
請求項１又は請求項２のいずれか記載の収納ケースにおいて、
前記下ケース内に収納する棒状収納物の外周面に当接することによって当該棒状収納物をケース内で保持すると共に、前記突起を前記上ケースの前記凹部又は開口から逃がすために前記弾性片を内側へ撓ませ得る空所を確保した状態で前記下ケース内に装着されるシャンクホルダを備えることを特徴とする収納ケース。
【請求項４】
請求項３記載の収納ケースにおいて、
前記上ケース及び前記下ケースを断面ほぼ正方形状の筒体によって構成し、
前記凹部又は開口を前記上ケースの各面にそれぞれ形成し、
前記突起を有する弾性片を前記下ケースの対面する２面にそれぞれ形成し、
前記シャンクホルダは、前記下ケースの外面形状とほぼ同一の外形形状を有する天板と、該天板の中心部に上端を開口する様に取り付けられる円筒と、前記下ケースの内面に嵌合する外径形状を有し、前記天板の下面に前記円筒を取り囲む様に取り付けられる角筒とを備え、該角筒の対面する２面にそれぞれ下端から所定高さまでの位置を切り欠いて開口部を形成すると共に、前記円筒を前記弾性片を内側へ撓ませて前記上ケースを抜き差しするときの妨げとならない直径とすることによって、前記弾性片の内側への撓みを妨げない空所を確保したこと
を特徴とする収納ケース。
【発明の詳細な説明】
【０００１】
【発明の属する技術分野】
本発明は、ドリルチップ等の棒状収納物を収納するための収納ケースに関するものである。
【０００２】
【従来の技術】
従来、ドリルチップなどを収納するものとして、所定長さの下ケースと、この下ケースの開口部を覆う様に外嵌される上ケースとからなる収納ケースが知られている。この種の収納ケースは、通常、下ケースの外面に形成した凹凸と上ケースの内面に形成した凹凸とを嵌合させることによって閉じた状態を維持する構造となっている。例えば、米国特許第４５０９６５６号特許明細書に記載さる収納ケースは、こうした従来の収納ケースの一種であり、コーナー部の内面に飛び出すウェブを有する外ケースと、コーナー部の外面に所定間隔で外へ膨らむ様に形成された多数の凸部を有する下ケースとから構成され、長さを可変としたものである。
【０００３】
この種の従来の収納ケースは、上ケースに押し込み力を加えることによってケースを閉じた状態にすることができ、上ケースに引き抜き力を加えることによってケースを開くことができ、開閉が簡単である。
【０００４】
【発明が解決しようとする課題】
ところで、こうした従来の収納ケースにドリルチップの様な重い物を収納した場合、ケースの製造精度によっては、収納物の重量によって下ケースが抜け落ちるおそれがある。逆に、この様な抜け落ちを防止するには、下ケースと上ケースの嵌合精度を高める必要があり、ケースの開閉が困難になってしまう。
【０００５】
また、従来の収納ケースでは、ケース内に収納したドリルチップ等が横方向にがたつくという問題もある。
【０００６】
そこで、本発明は、ケースの開閉を困難にすることなく、下ケースが不用意に抜け落ちることのない収納ケースを提供することを第１の目的とする。また、この第１の目的に加えて、ケース内に収納した棒状の収納物をがたつくことなく収納しておくことのできる収納ケースを提供することを第２の目的とする。
【０００７】
【課題を解決するための手段】
第１の目的を達成するためになされた本発明の収納ケースは、下端を開口されると共に上端を閉じられた筒体からなり、下端から所定高さの位置の筒壁に凹部又は開口が形成された上ケースと、上端を開口されると共に下端を閉じられた筒体からなり、上端側を前記上ケースの内面形状とほぼ一致する外面形状の嵌合部とすると共に、該嵌合部より下方を前記上ケースの内面形状より大きい外面形状の拡径部とし、前記嵌合部から前記拡径部にかけて軸方向に伸びる２条の切り込みと該２条の切り込みを連絡する横方向の切り込みとによって上端を中心に内部へ撓み得る弾性片を形成し、該弾性片の外面に前記上ケースを前記嵌合部に嵌合させたときに前記凹部又は開口に嵌合する突起を形成した下ケースとを備え、前記弾性片を内側へ撓ませることによって前記上ケースを前記下ケースに対して抜き差し可能に構成したものにおいて、前記凹部又は開口の下端縁を水平面とし、前記突起を、上端を前記嵌合部の外面と一致させると共に、上方から下方に向かって突出量が増大するテーパー状部と、下端に形成される水平面部とを備える形状としたことを特徴とする。
【０００８】
この収納ケースによれば、弾性片を内側へ撓ませながら上ケースを下ケースの嵌合部に嵌合させ、その後、上ケースの凹部又は開口と弾性片の突起とが一致するところまで上ケースを押し込んだところで弾性片の撓みを除けば、上ケースと下ケースとがしっかりと結合された状態になる。そして、上ケースと下ケースとの結合を解くには、弾性片を内側へ撓ませるという操作を意図的に行わなければならず、不用意に下ケースが抜け落ちるといった事態は発生しない。
【０００９】
ここで、上述の通り、本発明の収納ケースにおいては、前記凹部又は開口の下端縁を水平面とし、前記突起を、上端を前記嵌合部の外面と一致させると共に、上方から下方に向かって突出量が増大するテーパー状部と、下端に形成される水平面部とを備える形状としたので、以下の作用効果が発揮される。
【００１０】
この様に構成することで、上ケースを下ケースに嵌合する際に、弾性片を手指で押圧しなくても、上ケースの下端が突起に当たった後は、テーパー状部が上ケースの内壁面に押されることで自然に弾性片が内側へ撓まされ、上ケースを下ケースに対して容易に押し下げていくことができる。そして、上ケースの凹部又は開口が突起と一致する位置になると、内側へ撓んでいた弾性片は、それ自身の弾性的な復元力によって元の状態に復帰する。そして、上ケースと下ケースとは、上ケースに設けた凹部又は開口の下端縁と突起の水平面部とがしっかりと係止し合うので、不用意にケースが開いてしまうということがない。
【００１１】
また、これらの収納ケースにおいて、前記下ケースの前記拡径部に対して、前記弾性片の下端部を指で押す際に邪魔にならない様に、該弾性片の下端部近傍に窪みを形成しておくとよい。この様な窪みを形成しておくことで、上ケースを抜き取る際に、弾性片を内側へ撓ませるための押圧操作が容易になるからである。
【００１２】
また、第２の目的をも達成するためになされた本発明の収納ケースは、上述の各収納ケースにおいて、前記下ケース内に収納する棒状収納物の外周面に当接することによって当該棒状収納物をケース内で保持すると共に、前記突起を前記上ケースの前記凹部又は開口から逃がすために前記弾性片を内側へ撓ませ得る空所を確保した状態で前記下ケース内に装着されるシャンクホルダを備えることを特徴とする。
【００１３】
このシャンクホルダを有する収納ケースによれば、下ケース内に収納する棒状収納物は、その外周面をシャンクホルダで保持されるので、ケース内で横方向にがたつくことがない。また、この様なシャンクホルダを下ケース内に設けても、上述の様に、このシャンクホルダは、突起を上ケースの凹部又は開口から逃がすために弾性片を内側へ撓ませ得る空所を確保した状態で下ケース内に装着されるので、第１の目的を達成するための弾性片の撓み運動を妨げることがない。
【００１４】
なお、第１及び第２の目的を共に達成する目的でシャンクホルダを備えた収納ケースにおいて、前記上ケース及び前記下ケースを断面ほぼ正方形状の筒体によって構成し、前記凹部又は開口を前記上ケースの各面にそれぞれ形成し、前記突起を有する弾性片を前記下ケースの対面する２面にそれぞれ形成し、前記シャンクホルダは、前記下ケースの外面形状とほぼ同一の外形形状を有する天板と、該天板の中心部に上端を開口する様に取り付けられる円筒と、前記下ケースの内面に嵌合する外径形状を有し、前記天板の下面に前記円筒を取り囲む様に取り付けられる角筒とを備え、該角筒の対面する２面にそれぞれ下端から所定高さまでの位置を切り欠いて開口部を形成すると共に、前記円筒を前記弾性片を内側へ撓ませて前記上ケースを抜き差しするときの妨げとならない直径とすることによって、前記弾性片の内側への撓みを妨げない空所を確保したことを特徴とする収納ケースとして構成することができる。
【００１５】
この収納ケースによれば、上ケースは各壁面に凹部又は開口を有しているので、下ケースに嵌合する際に壁面の方向を合わせる必要がない。また、弾性片は下ケースの対面する２面にそれぞれ形成されているので、親指と人差し指で摘む様にして撓ませることができる。しかも、シャンクホルダを上述の様に構成することで、シャンクホルダは下ケースとは別部品として製造することができ、各部品を射出成形によって高精度に製造することができる。
【００１６】
【発明の実施の形態】
本発明の一実施の形態としての工具収納ケース１は、図１に示す様に、下ケース１０、シャンクホルダ２０及び上ケース３０の３個の部品によって構成されている。これら各部品１０〜３０は、いずれもプラスチックを射出成形して製造されたものである。そして、シャンクホルダ２０を、図１（Ｂ）に示す様に、下ケース１０に嵌合しておき、図１（Ｃ）に示す様に上ケース３０を下ケース１０に嵌合させることによってドリルチップ等の工具を横方向にがたつくことなく内部に収納することができる様に構成されている。
【００１７】
下ケース１０は、図２に示す様に、コーナーをアール取りした断面正方形状を呈し、上端を開口し下端を閉じた中空の筒体によって構成されている。そして、上端側に上ケース３０の内面形状とほぼ一致する外面形状の嵌合部１１を有し、この嵌合部１１の下端には外へ張り出す段部１２が形成されている。この段部１２より下側は、上ケース３０の外面形状とほぼ一致する外形形状の拡径部１３とされており、滑り難くするための複数条の溝１４が刻設されている。また、嵌合部１１の上端近傍には、長方形の開口１５が正面と背面の２面に設けられている。さらに、嵌合部１１の中程から拡径部１３中程よりやや下まで平行に伸びると共に下端を連絡されたＵ字状の切り込み１６によって、やはり正面と背面の２面に弾性片１７が形成されている。そして、この弾性片１７の嵌合部１１側の部分には、段部１２から所定高さの位置を下端とする突起１８が形成されている。この突起１８は、図２（Ｄ）、（Ｅ）に示す様に、上端を嵌合部１１の外面と一致させると共に、上方から下方に向かって突出量が増大するテーパー状部１８ａと、下端に形成される水平面部１８ｂとを備える外面形状とされている。また、拡径部１３には、弾性片１７の下端部を指で押す際に邪魔にならない様に、弾性片１７の下端部近傍に窪み１９が形成されている。
【００１８】
シャンクホルダ２０は、図３に示す様に、下ケース１０の嵌合部１１の外面形状とほぼ同一の外形形状を有する天板２１と、天板２１の中心部に上端を開口する様に取り付けられる円筒２２と、天板２１の下面に設けられ、嵌合部１１の内面形状とほぼ同一の外面形状を有する角筒２３とを備えている。天板２１の正面側と背面側には、角筒２３の外形位置まで切り欠いた切欠部２４が形成されている。角筒２３は、図３（Ｃ）、（Ｅ）に示す様に、正面側と背面側の壁面を、弾性片１７の幅よりも若干広く切り欠かれた開口部２５を有している。また、この開口部２５の上方には、天板２４の下面から所定距離の位置に、図３（Ｄ）、（Ｅ）に示す様に、縦断面台形状を呈する突起２６が形成されている。この突起２６は、シャンクホルダ２０を下ケース１０に嵌合させたときに、ちょうど下ケース１０の長方形の開口１５に嵌合する様に、位置と大きさとが定められいる。また、円筒２２は、図３（Ｂ）、（Ｅ）、（Ｆ）に示す様に、角筒２３の左右の側壁内面に設けられたリブ２７によって外面を支持されている。また、円筒２２の内壁面には、４個のリブ２８が突設されている。この４個のリブ２８は、収納するドリルチップのシャンク部に４方向から当接する突出量となる様に設計されている。また、円筒２２の底には、図３（Ａ）、（Ｅ）、（Ｆ）に示す様に、左右に伸びる板状部材２９が設けられている。ドリルチップは、この板状部材２９の上端に当接する位置まで円筒２２内に押し込むことができる。板状部材２９の高さは、収納するドリルチップの長さに対応して押し込み量を規定する様に設計されている。なお、このシャンクホルダ２０の円筒２２の上端及びリブ２８の上端は、ドリルチップを挿入し易くする様に内側へ向かって下り勾配となるテーパー面とされている。
【００１９】
上ケース３０は、図４に示す様に、コーナーをアール取りした断面正方形状を呈し、下端を開口し上端を閉じた中空の筒体によって構成されている。そして、４つの壁面のそれぞれには、下ケース１０の段部１２まで上ケース３０を押し込んだときに、下ケース１０の弾性片１７に設けた突起１８と嵌合する大きさの長方形状の開口３１が設けられている。
【００２０】
次に、本実施の形態の工具収納ケース１の使用方法等について、図５を参照しつつ説明する。図５（Ａ）〜（Ｄ）に示す様に、下ケース１０に対しては、シャンクホルダ２０が予め嵌合されている。そして、図５（Ａ）に示す様に、シャンクホルダ２０の円筒２２内に設けたリブ２８及び板状部材２９によってドリルチップ４０のシャンク部を保持する様に、ドリルチップ４０をシャンクホルダ２０に保持させておく。
【００２１】
この状態において、図５（Ａ）に示す様に、下ケース１０の嵌合部１１に嵌合させる様に、矢印Ａの如く上ケース３０を上方から押し込む。すると、図５（Ｂ）に示す様に、上ケース３０の下端部内壁面に突起１８が押されて、下ケース１０の弾性片１７が内側へ撓む。ここで、シャンクホルダ２０の円筒２２の直径は、弾性片１７の内側への撓みを妨げない大きさとされている。従って、この円筒２２は、弾性片１７が内側へ撓む動作を妨げることがない。そして、図５（Ｃ）に示す様に、上ケース３０を、その下端が下ケース１０の段部１２に当接する位置まで押し込むと、上ケース３０に設けた開口３１と弾性片１７の突起１８とが一致し、弾性片１７はそれ自身の弾性力によって撓みを解消する方向へ復帰し、自然に元の位置に戻る。この結果、上ケース３０が、下ケース１０に対してしっかりと結合された状態になる。
【００２２】
次に、工具収納ケース１を開く場合について説明する。この場合には、図５（Ｄ）に矢印Ｂで示す様に、弾性片１７を片手の親指と人差し指で摘む様にして内側へ撓ませる。すると、弾性片１７の突起１８が上ケース３０の開口３１から抜け出すので、もう一方の手で矢印Ｃで示す様に、上ケース３０を上方へ引き抜くことができる様になる。こうして、本実施の形態の工具収納ケース１においては、弾性片１７を指で摘むという簡単な操作でケースを開くことができる。この際、下ケース１０に設けた窪み１９の存在により、指で摘む操作を無理なくスムーズに実施することができる。
【００２３】
以上説明した様に、本実施の形態の工具収納ケース１によれば、ケースを閉じるに当たっては、上ケース３０を下ケース１０の嵌合部１１に嵌合させるように押し込むという簡単な操作をするだけでよい。また、ケースを開くに当たっても、片手で弾性片１７を摘む様にして撓ませた上で、もう一方の手で上ケース３０を引き抜くという簡単な操作をするだけでよい。しかも、図５（Ｃ）に示す様にケースを閉じた状態においては、意図的に弾性片１７を撓ませない限りは上ケース３０と下ケース１０とを分離することができず、ドリルチップ４０の重量によって不用意に下ケース１０が抜け落ちるということがない。そればかりか、上ケース３０だけを摘んでケース１を持ち上げた様な場合に、下ケース１０にはドリルチップ４０による重量が下向きに加わるが、弾性片１７の突起１８の下面と上ケース３０の開口３１の下面がいずれも水平面とされているので、弾性片１７にはむしろ外方向へ開こうとする力が作用し、上ケース３０と下ケース１０とを一層外れ難くしている。加えて、本実施の形態では、上ケース３０には４つの壁面のそれぞれに開口３１を設けてあるので、ケースを閉じる際に、上ケース３０と下ケース１０の方向を合わせる必要がない。
【００２４】
以上、本発明の実施の形態について詳細に説明してきたが、本発明はこれに限られるものではない。
【００２５】
例えば、実施の形態において、シャンクホルダ２０を用いないで、上述の下ケース１０と上ケース３０とだけからなる収納ケースとしても、意図的にケースの開閉操作を行うことは容易であるにも拘わらず、不用意に下ケース１０が抜け落ちることがなく、本発明の第１の目的を十分に達成することができる。また、シャンクホルダ２０において、円筒２２内面のリブ２８を備えずに、円筒内壁でドリルチップ等を直接保持する構成としておいても構わない。
【００２６】
【発明の効果】
以上詳細に説明した様に、本発明の収納ケースによれば、意図的なケースの開閉操作は容易であるにも拘わらず、下ケースが不用意に抜け落ちるといったことを防止できる効果が確実に発揮される。また、請求項３の収納ケースによれば、上記効果に加えて、ケース内に収納した棒状の収納物をがたつくことなく収納しておくことができる。さらに、請求項４の収納ケースによれば、かかる有利な効果を発揮する収納ケースを構成する各部品を射出成形によって高精度に製造することを可能にし、不用意な抜け落ち防止効果をより一層高めることができる。
【図面の簡単な説明】
【図１】  実施の形態を示し、（Ａ）は各部品の正面図、（Ｂ）は下ケースにシャンクホルダを装着した状態の正面図、（Ｃ）はさらに上ケースを閉じた状態の正面図である。
【図２】  実施の形態における下ケースを示し、（Ａ）は平面図、（Ｂ）は底面図、（Ｃ）は正面図、（Ｄ）は側面図、（Ｅ）はａ−ａ断面図、（Ｆ）はｂ−ｂ断面図である。
【図３】  実施の形態におけるシャンクホルダを示し、（Ａ）は平面図、（Ｂ）は底面図、（Ｃ）は正面図、（Ｄ）は側面図、（Ｅ）はｃ−ｃ断面図、（Ｆ）はｄ−ｄ断面図である。
【図４】  実施の形態における上ケースを示し、（Ａ）は正面図、（Ｂ）はｅ−ｅ断面図、（Ｃ）はｆ−ｆ断面図である。
【図５】  実施の形態の使用状態を示す断面図である。
【符号の説明】
１・・・工具収納ケース、１０・・・下ケース１０、１１・・・嵌合部、１２・・・段部、１３・・・拡径部、１４・・・溝、１５・・・開口、１６・・・切り込み、１７・・・弾性片、１８・・・突起、１８ａ・・・テーパー状部、１８ｂ・・・水平面部、１９・・・窪み、２０・・・シャンクホルダ、２１・・・天板、２２・・・円筒、２３・・・角筒、２４・・・切欠部、２５・・・開口部、２６・・・突起、２７・・・リブ、２８・・・リブ、２９・・・板状部材、３０・・・上ケース、３１・・・開口、４０・・・ドリルチップ。
【図１】
0003703626.tif 000002
【図２】
0003703626.tif 000003
【図３】
0003703626.tif 000004
【図４】
0003703626.tif 000005
【図５】
0003703626.tif 000006